(57)【特許請求の範囲】
【請求項１】
複数のレンズを有する光学系のうちの第１レンズを保持するとともに、前記第１レンズの光軸方向に移動可能な第１レンズ保持部材と、
前記第１レンズ保持部材から前記光軸方向に離間して配置される当接部材と、
第１レンズ保持部材と前記当接部材との間に配置され、前記第１レンズ保持部材の前記光軸方向の移動に追従して前記光軸方向に移動されて前記当接部材に当接可能な干渉防止部材と、
前記第１レンズ保持部材と前記干渉防止部材との間に配置され、前記第１レンズ保持部材と前記干渉防止部材とが離れる方向に弾性力を発生させる弾性部材と、
前記第１レンズ保持部材に対応して設けられた第１カム溝と前記干渉防止部材に対応して設けられた第２カム溝とが前記光軸と交差する方向に沿って設けられたカム筒を有し、前記カム筒の回転によって、前記第１レンズ保持部材及び前記干渉防止部材を一体的に前記光軸方向に移動させることにより前記干渉防止部材を前記当接部材に当接させることが可能な駆動機構と、
を備えることを特徴とするレンズ鏡筒。
【請求項２】
請求項１に記載のレンズ鏡筒であって、
前記当接部材は、前記複数のレンズを有する光学系のうちの第２レンズを保持する第２レンズ保持部材であること、
を特徴とするレンズ鏡筒。
【請求項３】
請求項２に記載のレンズ鏡筒であって、
前記第１レンズの偏心敏感度は、前記第２レンズの偏心敏感度よりもつよいこと、
を特徴とするレンズ鏡筒。
【請求項４】
請求項３に記載のレンズ鏡筒であって、
前記第２レンズ保持部材は、前記光軸方向に移動可能に構成されること、
を特徴とするレンズ鏡筒。
【請求項５】
請求項２又は３に記載のレンズ鏡筒であって、
前記第２レンズ保持部材は、前記光軸方向に移動不能に固定されること、
を特徴とするレンズ鏡筒。
【請求項６】
請求項２〜５のいずれか１項に記載のレンズ鏡筒であって、
前記干渉防止部材が前記第２レンズ保持部材に当接している状態において、前記第１レンズの表面から前記第１レンズの表面に対向する前記第２レンズの表面までの前記光軸中心における前記光軸方向の距離は、前記弾性部材が最短時に、前記第１レンズの表面と前記第２レンズの表面とが当接しない距離であること、
を特徴とするレンズ鏡筒。
【請求項７】
請求項１〜６のいずれか１項に記載のレンズ鏡筒を備えたことを特徴とするカメラ。
【発明の詳細な説明】
【技術分野】
【０００１】
本発明は、レンズ鏡筒、及びこれを備えたカメラに関するものである。
【背景技術】
【０００２】
複数のレンズを備え、レンズを保持するレンズ保持部材を移動させることにより焦点距離等を変更するズームレンズがある。このようなズームレンズにおいて、レンズの位置決め精度を向上させるため、レンズ保持部材とレンズ保持部材をガイドする直進ガイド溝との間のガタつきを低減する構造が設けられているものがある。このような構造としては、直進ガイド溝にばねの一端を当接させるとともに、ばねの他端をレンズ保持部材に当接させることにより、そのレンズ保持部材のガタを寄せた状態で、レンズ保持部材を直進ガイド溝に沿って移動させるように構成したものがある（例えば、特許文献１参照）。
【先行技術文献】
【特許文献】
【０００３】
【特許文献１】特開２００９−２２２８７３号公報
【発明の概要】
【発明が解決しようとする課題】
【０００４】
特許文献１に記載のレンズ鏡筒においては、レンズ保持部材と直進ガイドとの間のガタつきを低減することができる。しかし、外部からの衝撃により、レンズ保持部材が移動して他の部材に衝突することでレンズに衝撃が加わる場合がある。
【０００５】
本発明の課題は、好適な光学特性を有するレンズ鏡筒、およびこれを備えたカメラを提供することにある。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、複数のレンズを有する光学系のうちの第１レンズを保持するとともに、前記第１レンズの光軸方向に移動可能な第１レンズ保持部材と、前記第１レンズ保持部材から前記光軸方向に離間して配置される当接部材と、第１レンズ保持部材と前記当接部材との間に配置され、前記第１レンズ保持部材の前記光軸方向の移動に追従して前記光軸方向に移動されて前記当接部材に当接可能な干渉防止部材と、前記第１レンズ保持部材と前記干渉防止部材との間に配置され、前記第１レンズ保持部材と前記干渉防止部材とが離れる方向に弾性力を発生させる弾性部材と、前記第１レンズ保持部材に対応して設けられた第１カム溝と前記干渉防止部材に対応して設けられた第２カム溝とが前記光軸と交差する方向に沿って設けられたカム筒を有し、前記カム筒の回転によって、前記第１レンズ保持部材及び前記干渉防止部材を一体的に前記光軸方向に移動させることにより前記干渉防止部材を前記当接部材に当接させることが可能な駆動機構と、を備えることを特徴とするレンズ鏡筒である。
請求項２に記載の発明は、請求項１に記載のレンズ鏡筒であって、前記当接部材は、前記複数のレンズを有する光学系のうちの第２レンズを保持する第２レンズ保持部材であること、を特徴とするレンズ鏡筒である。
請求項３に記載の発明は、請求項２に記載のレンズ鏡筒であって、前記第１レンズの偏心敏感度は、前記第２レンズの偏心敏感度よりもつよいこと、を特徴とするレンズ鏡筒である。
請求項４に記載の発明は、請求項３に記載のレンズ鏡筒であって、前記第２レンズ保持部材は、前記光軸方向に移動可能に構成されること、を特徴とするレンズ鏡筒である。
請求項５に記載の発明は、請求項２又は３に記載のレンズ鏡筒であって、前記第２レンズ保持部材は、前記光軸方向に移動不能に固定されること、を特徴とするレンズ鏡筒である。
請求項６に記載の発明は、請求項２〜５のいずれか１項に記載のレンズ鏡筒であって、前記干渉防止部材が前記第２レンズ保持部材に当接している状態において、前記第１レンズの表面から前記第１レンズの表面に対向する前記第２レンズの表面までの前記光軸中心における前記光軸方向の距離は、前記弾性部材が最短時に、前記第１レンズの表面と前記第２レンズの表面とが当接しない距離であること、を特徴とするレンズ鏡筒である。
請求項７に記載の発明は、請求項１〜６のいずれか１項に記載のレンズ鏡筒を備えたことを特徴とするカメラである。
【発明の効果】
【０００８】
本発明によれば、好適な光学特性を有するレンズ鏡筒を提供することができる。
【図面の簡単な説明】
【０００９】
【図１】本発明の一実施形態である広角状態におけるレンズ鏡筒を備えるカメラの概念図である。
【図２】レンズ鏡筒の望遠状態において、干渉防止部材と第２レンズ保持枠とが当接した状態における断面図である。
【図３】レンズ鏡筒における第１レンズ及び第２レンズの偏心敏感度を示すイメージ図である。
【発明を実施するための形態】
【００１０】
以下、図面を参照して、本発明の一実施形態について説明する。
図１は、本発明の一実施形態である広角状態におけるレンズ鏡筒１０を備えるカメラ１の概念図である。図２は、レンズ鏡筒１０の望遠状態において、干渉防止部材１７と第２レンズ保持枠４２とが当接した状態における断面図である。
【００１１】
なお、図１，図２および以下に説明する各図には、説明と理解を容易にするために、ＸＹＺ直交座標系を設けた。この座標系では、撮影者が光軸ＯＡを水平として横長の画像を撮影する場合のカメラ１の位置（以下、正位置という）において撮影者から見て左側に向かう方向をＸ軸プラス方向、正位置において上側に向かう方向をＹ軸プラス方向、正位置において被写体に向かう方向をＺ軸プラス方向とする。また、以下の説明では、光軸ＯＡと平行な方向を「前後」とし、被写体側を「前面側」、他端側を「背面側」とそれぞれ称する。さらに、光軸ＯＡと平行な方向の移動を「直進」、光軸ＯＡ周りの移動を「回転」と称する。
【００１２】
カメラ１は、カメラボディ２と、カメラボディ２にマウント部３を介して着脱可能に結合されたレンズ鏡筒１０とにより構成されたデジタルカメラである。なお、本発明は、デジタルカメラに限定されるものではなく、たとえばフィルムを用いるスチルカメラにも適用可能である。
【００１３】
カメラボディ２は、光学的な被写体像を電気信号に変換する撮像素子２１を備えている。
レンズ鏡筒１０は、詳しくは後述するが、結像光学系を構成する複数のレンズ（Ｌ１，Ｌ２，Ｌ３，Ｌ４，Ｌ５）を備えており、入射した被写体光をカメラボディ２の撮像素子２１に結像させる。
上記構成のカメラ１は、レンズ鏡筒１０によって結像された被写体光像を撮像素子２１によって電気信号に変換し、画像情報としてカメラボディ２が備える図示しないメモリに記録する。
【００１４】
つぎに、本実施形態に係るレンズ鏡筒１０について説明する。
レンズ鏡筒１０は、光学系の合成焦点距離を変化させることのできる、いわゆるズームレンズである。図１は、レンズ鏡筒１０における焦点距離が最も短い状態（以下、広角状態という）を示している。また、図２は、レンズ鏡筒１０における焦点距離が最も長い状態（以下、望遠状態という）において、干渉防止部材１７と第２レンズ保持枠４２とが当接した状態を示している。
【００１５】
レンズ鏡筒１０は、前述したとおり、複数のレンズとして、第１レンズＬ１、第２レンズＬ２、第３レンズＬ３、第４レンズＬ４及び第５レンズＬ５を有する結像光学系を有している。
第１レンズＬ１、第２レンズＬ２、第３レンズＬ３、第４レンズＬ４及び第５レンズＬ５は、レンズ鏡筒１０の前面側から背面側に向かって、第４レンズＬ４、第５レンズＬ５、第１レンズＬ１、第２レンズＬ２、第３レンズＬ３の順番に配設されている。
【００１６】
第４レンズＬ４は、後述する第１固定筒１１の前面側の端部の内周側に支持されている。第５レンズＬ５は、第４レンズＬ４よりも背面側において第５レンズ保持枠４５に保持された状態で第１固定筒１１の内周側に支持され、フォーカスレンズとして機能する。
第５レンズ保持枠４５は、光軸ＯＡ方向に沿って移動可能に構成される。
【００１７】
第１レンズＬ１、第２レンズＬ２、第３レンズＬ３は、それぞれ第１レンズ保持枠４１、第２レンズ保持枠４２、第３レンズ保持枠４３に保持された状態で第１固定筒１１の内周側に支持されている。詳しくは後述するが、第１レンズ保持枠４１は、光軸ＯＡ方向に沿って移動可能に構成される。第２レンズ保持枠４２及び第３レンズ保持枠４３は、後述する第１固定筒１１の内周側に、光軸ＯＡ方向に移動不能に固定されている。第１レンズ保持枠４１、第２レンズ保持枠４２及び第３レンズ保持枠４３は、光軸ＯＡ方向に離間して配置されている。
【００１８】
レンズ鏡筒１０は、第１固定筒１１と、第２固定筒１２と、カム筒１３と、フォーカス筒１４と、フォーカス操作環１５と、ズーム操作環１６と、干渉防止部材１７と、を備えている。これらの各部材は、それぞれ円筒状に形成されている。
第１固定筒１１は、レンズ鏡筒１０における光軸ＯＡ方向の全域に亘って長く形成されている。第１固定筒１１は、前面側（Ｚ軸プラス側）の大径部１１１と、背面側（Ｚ軸マイナス側）の小径部１１２とから成る。大径部１１１は、前面側端部１１１Ａと、二重筒状部１１１Ｂとを備える。
【００１９】
前面側端部１１１Ａは、大径部１１１における前面側の端部において、筒状に形成されている。二重筒状部１１１Ｂは、前面側端部１１１Ａよりも背面側において、前面側端部１１１Ａに連続して形成されている。二重筒状部１１１Ｂは、内側筒部１１１Ｃと、内側筒部１１１Ｃの外部に同心状に位置する外側筒部１１１Ｄと、を有する。内側筒部１１１Ｃと外側筒部１１１Ｄとの間には、内側筒部１１１Ｃの外周面に沿うように、後述するフォーカス筒１４が回転可能に配置されている。
【００２０】
第１固定筒１１の大径部１１１は、前面側端部１１１Ａの内周側に第４レンズＬ４を固定した状態で支持し、前面側端部１１１Ａよりも背面側の内側筒部１１１Ｃの内周側に、第５レンズ保持枠４５を光軸ＯＡ方向に移動可能に支持している。
第１固定筒１１の小径部１１２は、小径部１１２の前面側の内周側にカム筒１３を回転可能に支持し、カム筒１３よりも背面側の内周側に第２レンズ保持枠４２を固定した状態で支持し、第２レンズ保持枠よりも背面側の内周側に第３レンズ保持枠４３を固定した状態で支持している。カム筒１３は、カム筒１３の内周側に、第１レンズ保持枠４１及び干渉防止部材１７を、光軸ＯＡ方向に移動可能に支持している。
【００２１】
第２固定筒１２は、レンズ鏡筒１０の背面側において、第１固定筒１１の外部に同心状に位置しており、その背面側の端で第１固定筒１１に固定されている。第１固定筒１１及び第２固定筒１２の背面側端部には、カメラボディ２と結合するレンズマウント３１が設けられている。
第１固定筒１１と第２固定筒１２とは、基端部（背面側の端）で結合されてレンズ鏡筒１０の基部を構成し、他の構成要素を保持している。
【００２２】
フォーカス操作環１５及びズーム操作環１６は、第１固定筒１１及び第２固定筒１２に相対回転可能に連結されている。フォーカス操作環１５は、レンズ鏡筒１０における光軸ＯＡ方向の中央部近傍の前面側（Ｚ軸プラス側）に、第１固定筒１１に対して相対回転可能に連結されている。ズーム操作環１６は、レンズ鏡筒１０における光軸ＯＡ方向の中央部近傍のフォーカス操作環１５よりも背面側（Ｚ軸マイナス側）に、第２固定筒１２に対して相対回転可能に連結されている。
第１固定筒１１の大径部１１１、第２固定筒１２、フォーカス操作環１５及びズーム操作環１６は、レンズ鏡筒１０の外形を形成している。
【００２３】
第１固定筒１１の大径部１１１の内側筒部１１１Ｃには、図示しないフォーカス側直進ガイド溝が、光軸ＯＡ方向に沿って設けられている。このフォーカス側直進ガイド溝は、第５レンズ保持枠４５の光軸ＯＡ方向における移動範囲に亘って設けられている。
【００２４】
また、フォーカス筒１４には、図示しないフォーカスカム溝が、第１固定筒１１のフォーカス側直進ガイド溝に対応して、光軸ＯＡ方向と交差する方向に沿って設けられている。このフォーカスカム溝は、第５レンズ保持枠４５の光軸ＯＡ方向における移動範囲に対応して設けられている。フォーカス筒１４のフォーカスカム溝は、周方向において光軸ＯＡ方向の位置が所定の関係で変位するように形成されている。
【００２５】
第５レンズ保持枠４５の外周面には、第５保持枠カムピン２５が、光軸ＯＡ方向と交差する方向に突出して設けられている。この第５保持枠カムピン２５は、第１固定筒１１のフォーカス側直進ガイド溝を貫通してフォーカス筒１４のフォーカスカム溝に摺動移動可能に嵌合している。これにより、第５レンズ保持枠４５は、フォーカス筒１４の回転によってフォーカス側直進ガイド溝に沿って光軸ＯＡ方向に移動駆動されるようになっている。
【００２６】
レンズ鏡筒１０における中央部近傍の前面側の外周側には、前述したように、フォーカス操作環１５が、第１固定筒１１に対して周方向に回転可能に設けられている。このフォーカス操作環１５は、図示しない係合部においてフォーカス筒１４と係合し、フォーカス筒１４と一体的に回転可能となっている。フォーカス操作環１５は、第５レンズ保持枠４５を光軸ＯＡ方向に沿って移動させてフォーカス操作を行う。
【００２７】
第１固定筒１１の小径部１１２の前面側には、図示しないズーム側直進ガイド溝が、光軸ＯＡ方向に沿って設けられている。このズーム側直進ガイド溝は、第１レンズ保持枠４１及び後述する干渉防止部材１７の光軸ＯＡ方向における移動範囲に亘って設けられている。
【００２８】
また、カム筒１３には、図示しないズームカム溝及び干渉防止カム溝が、第１固定筒１１のズーム側直進ガイド溝に対応して、光軸ＯＡ方向と交差する方向に沿って設けられている。このズームカム溝及び干渉防止カム溝は、第１レンズ保持枠４１及び干渉防止部材１７の光軸ＯＡ方向における移動範囲に対応して設けられている。カム筒１３のズームカム溝及び干渉防止カム溝は、周方向において光軸ＯＡ方向の位置が所定の関係で変位するように形成されている。
【００２９】
本実施形態においては、カム筒１３のズームカム溝及び干渉防止カム溝は、互いが光軸ＯＡ方向に所定距離離間した状態で、光軸ＯＡに対して傾いて形成されている。
【００３０】
第１レンズ保持枠４１と干渉防止部材１７との間隔は、ズームカム溝と干渉防止カム溝とのピッチ（光軸ＯＡ方向に離間する溝と溝との間の長さ）により適宜設定される。光軸ＯＡ方向においてズームカム溝と干渉防止カム溝とのピッチを異ならせることにより、第１レンズ保持枠４１と干渉防止部材１７との間隔を異ならせることができる。
【００３１】
第１レンズ保持枠４１の外周面には、第１カムピン２６が、光軸ＯＡ方向と交差する方向に突出して設けられている。この第１カムピン２６は、カム筒１３のズームカム溝を貫通して第１固定筒１１のズーム側直進ガイド溝に摺動移動可能に嵌合している。これにより、第１レンズ保持枠４１は、カム筒１３の回転によってズーム側直進ガイド溝に沿って光軸ＯＡ方向に移動駆動されるようになっている。
【００３２】
干渉防止部材１７は、光軸ＯＡ方向において、第１レンズ保持枠４１と第２レンズ保持枠４２との間に配置されている。干渉防止部材１７は、光軸ＯＡ方向において所定長さを有する短筒状に形成されている。干渉防止部材１７の外径の大きさは、カム筒１３の内径と略同じである。
【００３３】
干渉防止部材１７の外周面には、第２カムピン２７が、光軸ＯＡ方向と交差する方向に突出して設けられている。この第２カムピン２７は、カム筒１３の干渉防止カム溝を貫通して第１固定筒１１のズーム側直進ガイド溝に摺動移動可能に嵌合している。
干渉防止部材１７は、カム筒１３の回転によって、第１レンズ保持枠４１の光軸ＯＡ方向の移動に追従して、ズーム側直進ガイド溝に沿って光軸ＯＡ方向に移動されるようになっている。
【００３４】
レンズ鏡筒１０における中央部近傍の背面側の外周側には、前述したように、ズーム操作環１６が、第２固定筒１２に対して周方向に回転可能に設けられている。このズーム操作環１６は、図示しない係合部においてカム筒１３と係合し、カム筒１３と一体的に回転可能となっている。ズーム操作環１６は、第１レンズ保持枠４１を光軸ＯＡ方向に移動させてズーム操作を行う。
【００３５】
干渉防止部材１７が第１レンズ保持枠４１に追従して光軸ＯＡ方向に移動される構成は、駆動機構３０によってなされる。駆動機構３０は、第１固定筒１１のズーム側直進ガイド溝と、カム筒１３のズームカム溝及び干渉防止カム溝と、第１カムピン２６と、第２カムピン２７と、ズーム操作環１６とによって構成されている。
【００３６】
このように、第１レンズ保持枠４１及び干渉防止部材１７は、駆動機構３０により一体的に光軸ＯＡ方向に移動可能に構成される。駆動機構３０は、第１レンズ保持枠４１及び干渉防止部材１７を光軸ＯＡ方向に沿って移動させることにより、干渉防止部材１７を第２レンズ保持枠４２に当接させることが可能になっている。
【００３７】
第１レンズ保持枠４１と干渉防止部材１７との間には、弾性部材１８が配置されている。弾性部材１８は、例えば、コイルばねやウェーブワッシャー等により構成される。なお、弾性部材１８としては、コイルばねを周方向に沿って３箇所程度設けてもよいし、カム筒１３の内径と同じ径からなるコイルばねを用いてもよい。
【００３８】
弾性部材１８は、一端が第１レンズ保持枠４１に当接した状態であるとともに、他端が干渉防止部材１７に当接した状態で、第１レンズ保持枠４１と干渉防止部材１７との間に配置される。弾性部材１８は、第１レンズ保持枠４１と干渉防止部材１７とが離れる方向に弾性力を発生させている。
【００３９】
ここで、弾性部材１８が発生させる弾性力は、第１レンズ保持枠４１と干渉防止部材１７との間の距離に起因する。そのため、弾性部材１８が発生する弾性力を、光軸ＯＡ方向の位置においてズームカム溝と干渉防止カム溝とのピッチを調整して、光軸ＯＡ方向の位置ごとに異ならせることもできる。
【００４０】
弾性部材１８は、ズームカム溝と第１カムピン２６との間のガタ、及び干渉防止カム溝と第２カムピン２７との間のガタを、光軸ＯＡ方向における第１レンズ保持枠４１と干渉防止部材１７とが離れる方向に寄せて、第１レンズ保持枠４１のガタつきを低減することができる。従って、第１レンズ保持枠４１の光軸ＯＡ方向の位置決め精度を向上させることができる。
【００４１】
また、弾性部材１８は、干渉防止部材１７と第３レンズ保持枠４３との間に配置されているため、干渉防止部材１７が第２レンズ保持枠４２に衝突した場合には、衝撃を吸収するダンパーとしての機能も有する。
【００４２】
駆動機構３０は、第１レンズ保持枠４１のガタつきを弾性部材１８により防止した状態で、第１レンズ保持枠４１、干渉防止部材１７及び弾性部材１８を一体的に光軸ＯＡ方向に移動させる。
【００４３】
駆動機構３０により、第１レンズ保持枠４１、干渉防止部材１７及び弾性部材１８は、一体的に光軸ＯＡ方向に移動する。干渉防止部材１７は、第２レンズ保持枠４２に当接することがある。ここで、第１レンズＬ１の表面から第２レンズＬ２の表面までの光軸ＯＡ中心における光軸ＯＡ方向の距離は、第１レンズＬ１の表面と第２レンズＬ２の表面とが当接しない距離関係となっている。具体的には、第１レンズＬ１の表面と第２レンズＬ２の表面とは、弾性部材１８の最短時においても当接しないように構成される。なお、弾性部材１８の最短時とは、第１レンズ保持枠４１が第２レンズ保持枠４２に最も近づいたときである。
【００４４】
本実施形態においては、第１レンズＬ１は、第２レンズＬ２に対向して配置されている。第１レンズＬ１における第２レンズＬ２に対向する面は、第２レンズＬ２側に突出して形成されている。また、第２レンズＬ２における第１レンズＬ１に対向する面は、第１レンズＬ１側に突出して形成されている。つまり、第１レンズＬ１及び第２レンズＬ２における互いに対向する面は、互いが近づく方向に突出している。このような場合であっても、第１レンズ保持枠４１が第２レンズ保持枠４２に最も近づいたときに、第１レンズＬ１の表面と第２レンズＬ２の表面とが当接しない距離関係となっている。
【００４５】
上記のように構成されたレンズ鏡筒１０は、下記のように作用する。
フォーカス操作環１５を第１固定筒１１に対して周方向に回転させると、フォーカス筒１４は、フォーカス操作環１５と一体的に回転して第１固定筒１１に対して周方向に回転する。その結果、第５レンズ保持枠４５に設けられた第５保持枠カムピン２５が第１固定筒１１のフォーカス側直進ガイド溝及びフォーカス筒１４のフォーカスカム溝に沿って移動するとともに、第１固定筒１１に設けられたフォーカス側直進ガイド溝に沿って移動する。これにより、第５レンズ保持枠４５（第５レンズＬ５）は光軸ＯＡ方向に沿って移動する。
【００４６】
また、図１に示すレンズ鏡筒１０の広角状態において、第１レンズ保持枠４１を光軸ＯＡ方向に沿って背面側に移動させるように、ズーム操作環１６を第１固定筒１１に対して周方向の一方向に回転させる。これにより、カム筒１３は、ズーム操作環１６と一体的に周方向に回転して第１固定筒１１に対して回転する。
【００４７】
カム筒１３が第１固定筒１１に対して周方向に回転すると、第１レンズ保持枠４１の外周面に突設された第１カムピン２６及び干渉防止部材１７の外周面に突設された第２カムピン２７は、カム筒１３に設けられたズームカム溝及び干渉防止カム溝に沿って移動するとともに、第１固定筒１１に設けられたズーム側直進ガイド溝に沿って移動する。
【００４８】
その結果、第１レンズ保持枠４１（第１レンズＬ１）は、フォーカス操作環１５が周方向に回転することで、光軸ＯＡ方向に沿って背面側に移動する。そして、レンズ鏡筒１０は、望遠状態となる。また、望遠状態からズーム操作環１６を逆方向に回転させると、カム筒１３がズーム操作環１６と一体的に周方向に回転することで、第１レンズ保持枠４１（第１レンズＬ１）は、光軸ＯＡ方向に沿って前面側に移動し、図１に示す広角状態となる。
【００４９】
本実施形態においては、第１レンズ保持枠４１と第２レンズ保持枠４２との間には、第１レンズ保持枠４１の移動に追従して移動する干渉防止部材１７が配置されている。また、第１レンズ保持枠４１と干渉防止部材１７との間には、弾性部材１８が配置されている。
干渉防止部材１７及び弾性部材１８は、第１レンズ保持枠４１のガタつきを防止している。そのため、第１レンズ保持枠４１は、ガタつきが防止された状態で光軸ＯＡ方向に移動する。従って、干渉防止部材１７及び弾性部材１８は、第１レンズＬ１の光軸ＯＡ方向の位置決め精度を向上させることができる。
【００５０】
また、本実施形態おいては、干渉防止部材１７は、駆動機構３０により光軸ＯＡ方向に移動された場合に、第２レンズ保持枠４２に当接可能なように構成されている。
そして、図１に示すレンズ鏡筒１０における広角状態において、レンズ鏡筒１０に対して外部から衝撃が加わる場合がある。レンズ鏡筒１０に加わる衝撃の大きさや方向により、第１レンズ保持枠４１がズーム側直進ガイド溝に沿って光軸ＯＡ方向の背面側に移動する場合がある。
【００５１】
第１レンズ保持枠４１が光軸ＯＡ方向に移動すると、干渉防止部材１７も追従して光軸ＯＡ方向に移動する。つまり、第１レンズ保持枠４１、干渉防止部材１７及び弾性部材１８は、一体的に光軸ＯＡ方向に移動する。
ここで、干渉防止部材１７は、第２レンズ保持枠４２に当接可能なように構成されている。そのため、第１レンズ保持枠４１と第２レンズ保持枠４２との距離関係や、第１レンズ保持枠４１の衝撃による移動量の関係等により、干渉防止部材１７は、第２レンズ保持枠４２に当接する場合がある。
【００５２】
特に、図１に示す広角状態からズーム操作により第１レンズＬ１を第２レンズＬ２に近づけた図２に示す望遠状態において、外部から衝撃が加えられた場合には、干渉防止部材１７と第２レンズ保持枠４２との距離が近いため、干渉防止部材１７が第２レンズ保持枠４２に衝突（当接）する可能性が高くなる。
【００５３】
そのため、図２に示すレンズ鏡筒１０の望遠状態において、外部から衝撃が加えられて、第１レンズ保持枠４１が第２レンズ保持枠４２に向かって移動して、干渉防止部材１７が第２レンズ保持枠４２に衝突（当接）する場合がある。
このような場合において、第１レンズ保持枠４１と第２レンズ保持枠４２との間には、干渉防止部材１７が配置されている。そのため、第１レンズ保持枠４１が第２レンズ保持枠４２に当接せずに、干渉防止部材１７が、第２レンズ保持枠４２に衝突（当接）する。これにより、第１レンズ保持枠４１に保持された第１レンズＬ１への衝撃を低減することができる。
【００５４】
さらに、第１レンズ保持枠４１と干渉防止部材１７との間には、弾性部材１８が配置されている。そのため、第１レンズ保持枠４１に保持された第１レンズＬ１への衝撃を吸収して、第１レンズＬ１への衝撃を低減することができる。
【００５５】
ここで、本発明のレンズ鏡筒１０に対して、大きな衝撃が加えられて、第１レンズ保持枠４１が光軸ＯＡ方向における背面側に最も大きく移動され、第１レンズ保持枠４１が第２レンズ保持枠４２に最も近づいた弾性部材１８の最短時を想定する。この場合、本発明のレンズ鏡筒１０は、干渉防止部材１７が第２レンズ保持枠４２に当接している状態において、弾性部材１８の最短時に、第１レンズＬ１の表面と第２レンズＬ２と表面とが当接しない距離の関係を有している。その結果、第１レンズＬ１と第２レンズＬ２とが接触することが防止される。
【００５６】
以上、本実施形態によると、以下の効果を有する。
（１）レンズ鏡筒１０は、第１レンズ保持枠４１の移動に追従して移動されて第２レンズ保持枠４２に当接可能な干渉防止部材１７と、第１レンズ保持枠４１と干渉防止部材１７との間に配置される弾性部材１８とを備えている。これにより、第１レンズ保持枠４１のガタつきを低減しつつ、外部から衝撃が加わった場合でも第１レンズＬ１への衝撃を低減することができる。
【００５７】
（２）第２レンズ保持枠４２は、第１固定筒１１に固定されている。そのため、外部から衝撃が加わった場合において、第２レンズ保持枠４２に保持される第２レンズＬ２への衝撃を低減することができ、かつ、第１レンズＬ１への衝撃を低減することができる。
【００５８】
（３）干渉防止部材１７が第２レンズ保持枠４２に当接している状態において、弾性部材１８の最短時に、第１レンズＬ１の表面と第２レンズＬ２の表面とが当接しない距離である。そのため、第１レンズ保持枠４１が第２レンズ保持枠４２に最も近づいた弾性部材１８の最短時に、第１レンズＬ１と第２レンズＬ２とが当接することを防止することができる。これにより、外部から衝撃が加わった場合でも、第１レンズＬ１への衝撃を一層低減することができる。
【００５９】
（変形形態）
以上、説明した実施形態に限定されることなく、以下に示すような種々の変形や変更が可能であり、それらも本発明の範囲内である。
【００６０】
（１）本実施形態では、第２レンズ保持枠４２が第１固定筒１１に対して固定されている形態について説明したが、本発明はこれに限定されない。第２レンズ保持枠４２が光軸ＯＡ方向に移動可能に構成されていてもよい。この場合、第１レンズＬ１の偏心敏感度は、第２レンズＬ２の偏心敏感度よりもつよいことが好ましい。
ここで、図を参照して偏心敏感度について説明する。図３は、レンズ鏡筒１０における第１レンズＬ１及び第２レンズＬ２の偏心敏感度を示すイメージ図である。図３は、レンズの偏心量とＭＴＦ（Ｍｏｄｕｌａｔｉｏｎ  Ｔｒａｎｓｆｅｒ  Ｆｕｎｃｔｉｏｎ）との関係を示している。ＭＴＦは、レンズ性能を評価する指標のひとつで、レンズの結像性能を知るために、被写体の持つコントラストをどの程度忠実に再現できるかを空間周波数特性として表現したものである。
偏心敏感度がつよいとは、同量の偏心を光学系に加えたときに、例えばＭＴＦ値などの劣化が多いことをいう。一方、偏心敏感度がよわいとは、同量の偏心を光学系に加えたときに、例えばＭＴＦ値などの劣化が少ないことをいう。
図３に示すように、第１レンズＬ１は、第２レンズＬ２と偏心量が同じ場合に、ＭＴＦ値の劣化が多い。従って、本実施形態の場合、第１レンズＬ１の偏心敏感度は、第２レンズＬ２の偏心敏感度よりもつよい。
この場合には、外部から衝撃が加えられた場合に、偏心敏感度がつよい第１レンズＬ１への衝撃を低減しつつ、第２レンズ保持枠４２が移動可能に構成される場合であっても、第２レンズ保持枠４２に保持された偏心敏感度がよわい第２レンズＬ２の光学特性の劣化を低減することができる。
【００６１】
（２）また、本実施形態では、第１レンズ保持枠４１から光軸ＯＡ方向に離間して配置される当接部材を、第２レンズ保持枠４２により構成したが、これに限定されない。例えば、当接部材を、レンズ鏡筒１０における絞り機構を構成する部材であってもよい。
【００６２】
（３）本実施形態は、本発明を、ズーム操作を行うために移動される第１レンズ保持枠４１に適用した形態である。しかし、本発明の適用部位はこれに限定されるものではなく、フォーカス操作を行うために移動されるフォーカスレンズ保持枠等に適用してもよい。
【００６３】
（４）さらに、本実施形態では、着脱式のレンズ鏡筒について説明したが、本発明はこれに限定されず、カメラボディとレンズ鏡筒とが一体となったカメラに適用しても良い。
【００６４】
なお、実施形態及び変形形態は、適宜組み合わせて用いることもできるが、詳細な説明は省略する。また、本発明は以上説明した実施形態によって限定されることはない。
【符号の説明】
【００６５】
１：カメラ、２：カメラボディ、２１：撮像素子、１０：レンズ鏡筒、１１：第１固定筒、１２：第２固定筒、１３：カム筒、１４：フォーカス筒、１５：フォーカス操作環、１７：干渉防止部材、１８：弾性部材、３０：駆動機構、４１：第１レンズ保持枠、４２：第２レンズ保持枠、Ｌ１：第１レンズ、Ｌ２：第２レンズ、Ｌ３：第３レンズ、Ｌ４：第４レンズ、Ｌ５：第５レンズ、ＯＡ：光軸
【図１】
0005707942.tif 000002
【図２】
0005707942.tif 000003
【図３】
0005707942.tif 000004